(57)【特許請求の範囲】
【請求項１】
駆動手段により回転駆動される軸と、この軸の両端部を回転可能に支持し、その軸の両端部の支持部付近にそれぞれフランジを有する本体ケースと、前記軸に取付けられてその回転力で駆動されるマッサージ体と、このマッサージ体を覆うカバーと、このカバーの表面に着脱自在に装着される交換カバーとを備えるマッサージ器において、
前記交換カバーは、前記軸方向に直交する一対の辺に沿って設けた筒状部に、当該筒状部の長さよりも短い弾性部材を配置し、かつこの弾性部材の両端部を筒状部の両端部に固着してなり、前記カバーの表面への装着時は前記本体ケースのフランジの両外側を覆うように当該交換カバーの筒状部を位置させることで、当該交換カバーの前記軸方向に対する装着位置を規制することを特徴とするマッサージ器。
【請求項２】
前記交換カバーは略四角形状であることを特徴とする請求項１記載のマッサージ器。
【発明の詳細な説明】
【０００１】
【発明の属する技術分野】
この発明は、マッサージ体を覆うカバーの表面に更に着脱自在の交換カバーを装着してなるマッサージ器に関する。
【０００２】
【従来の技術】
従来、マッサージ体を覆うカバーの表面に更に着脱自在の交換カバーを装着したマッサージ器としては、図１０に示すようなものがある。このマッサージ器は、操作部５２及び把手部５３を有する本体ケース５１に、回転駆動されるマッサージ体（図示せず）が組み込まれ、このマッサージ体を覆うようにカバー（図示せず）が設けられ、更にカバーの表面に着脱自在の交換カバー６０が装着されている。
【０００３】
交換カバー６０は、マッサージ器の清潔さを保つために洗濯可能としたもので、その裏側の平面図を図１１に示すように、裏側の４辺に沿ってそれぞれ面ファスナ６１，６２が取付けられている。このうち、面ファスナ６１は、マッサージ体の軸方向に平行する一対の辺に沿って設けられ、面ファスナ６２は、その軸方向に直交する一対の辺に沿って設けられている。この交換カバー６０をカバーに装着した状態では、図１０を参照して、面ファスナ６１が本体ケース１の前側と後側でカバーに付着し、面ファスナ６２が上側でカバーに付着する。この他、交換カバーの全周囲（４辺）に沿って面ファスナが設けられたものもある（特開平１１−３４７０８３号）。
【０００４】
【発明が解決しようとする課題】
ところで、本体ケース５１内に組み込まれたマッサージ体は、例えば図１２に概略的に示すようにモータ（図示せず）により回転駆動される軸７０に二対のもみ輪７１，７２が取付けられている。もみ輪によるマッサージを受ける場合は、各対のもみ輪７１，７２の上側間隙に施療部位（足、ふくらはぎ、太股等）８０を入れる。もみ輪７１，７２が軸７０と共に回転すると、各対のもみ輪７１，７２の間隔が大小に変化することで、施療部位８０にもみ刺激が施される。
【０００５】
ところが、もみ輪７１，７２の間隔が狭くなるたびに、交換カバー６０とカバー６５を固着している面ファスナ６２に対して、両者を剥がそうとする矢印イ方向の力が作用する。図１２では、右側のもみ輪７２に作用する力だけが示されているが、左側のもみ輪７１にも、その間隔が狭くなるたびに剥がそうとする力が作用する。そのような力が二対のもみ輪７１，７２に交互に繰り返し作用すると、交換カバー６０がカバー６５から外れたりめくれたりする問題が生じる。また、そこまでには至らなくても、交換カバー６０の面ファスナ６２をカバー６５から剥がそうとする力が作用するとき、“バリッ”“ビリッ”というような音が繰り返し発生する問題が生じる。
【０００６】
この発明は、そのような問題点に着目してなされたものであって、マッサージ体の回転動作に伴う交換カバーの外れ、めくれ、騒音が生じないようにしたマッサージ器を提供することを目的としている。
【０００７】
【課題を解決するための手段】
前記目的を達成するために、この発明のマッサージ器は、駆動手段により回転駆動される軸と、この軸の両端部を回転可能に支持し、その軸の両端部の支持部付近にそれぞれフランジを有する本体ケースと、前記軸に取付けられてその回転力で駆動されるマッサージ体と、このマッサージ体を覆うように設けられたカバーと、このカバーの表面に着脱自在に装着される交換カバーとを備えるものにおいて、前記交換カバーが、前記軸方向に直交する一対の辺に沿って設けた筒状部に、当該筒状部の長さよりも短い弾性部材を配置し、かつこの弾性部材の両端部を筒状部の両端部に固着してなり、前記カバーの表面への装着時は前記本体ケースのフランジの両外側を覆うように当該交換カバーの筒状部を位置させることで、当該交換カバーの前記軸方向に対する装着位置を規制することを特徴とする。
【０００８】
このマッサージ器では、交換カバーのカバー表面への装着時には本体ケースのフランジの両外側を覆うように当該交換カバーの筒状部を位置させることとする。これにより、当該交換カバーの軸方向に対する装着位置が規制される。つまり、例えばマッサージ体が二対のもみ輪を有する場合、各対のもみ輪の上側間隔が狭くなるたびに、交換カバーをカバーから剥がそうとする力が作用しても、交換カバーの筒状部が本体ケースのフランジの両外側を覆うように位置しているので、交換カバーの軸方向への位置ずれが防止される。これにより、マッサージ体の回転動作に伴う交換カバーの外れ、めくれ、騒音が発生しなくなる。
【０００９】
【発明の実施の形態】
以下、実施の形態により、この発明を更に詳細に説明する。
【００１０】
その一実施形態に係るマッサージ器の外観斜視図を図１に、その平面図を図２に示す。このマッサージ器は、本体ケース１と、この本体ケース１に組み込まれたマッサージ体（図示せず）と、マッサージ体を覆う布製のカバー（図示せず）と、このカバーの表面に着脱自在に装着される布製の交換カバー１０とを備える。交換カバー１０は、後記で詳細に説明するように、本体ケース１のフランジ５ａ，５ｂの両外側でマッサージ体の軸方向に対する装着位置を規制する手段を有する。本体ケース１には、電源ＯＮ／ＯＦＦ、もみ刺激の強弱（回転速さ）等を調整する操作部２と、このマッサージ器を持ち運ぶための把手３と、マッサージ時に両足を載せる足載せ部４が設けられている。
【００１１】
本体ケース１は、図３に示すように、上ケース１ａ（ａ）と下ケース１ｂ（ｂ）からなる。この本体ケース１に組み込まれるマッサージ体は、図面には示していないが、例えば１本の軸に二対のもみ輪が取付けられ、軸がモータにより回転駆動されるものである。本体ケース１は、その軸の両端部を回転可能に支持し、その軸の両端部の支持部付近にそれぞれフランジを有する。ここでは、本体ケース１が上ケース１ａと下ケース１ｂからなるため、上ケース１ａがフランジ５ａを有し、下ケース１ｂがフランジ５ｂを有し、両ケース１ａ，１ｂが一体に結合されることで、環状のフランジが形成される。
【００１２】
次に、交換カバー１０の一形態について説明する。その一例を図４（裏側の平面図）に示す。この交換カバー１０Ａは四角形状であり、軸方向に直交する一対の辺（図４の左右の辺）の長さを伸縮可能とする装着位置規制手段を有する。ここでは、装着位置規制手段は、軸方向に直交する一対の辺に沿って設けた筒状部１１に挿通した紐１２である。筒状部１１は、例えば対応辺に沿って縫合することにより形成される。
【００１３】
更に、この交換カバー１０Ａは、軸方向に直交する方向に対する装着位置を規制する手段も有する。具体的にその装着位置規制手段は、軸方向に平行する一対の辺（図４の上下の辺）付近に設けた、カバーの表面に着脱自在に付着される面ファスナ１３である。
【００１４】
この交換カバー１０Ａをカバーの表面に装着するには、筒状部１１を本体ケース１のフランジ５ａ，５ｂの外側に位置させ、上下の一方の辺をカバーと本体ケース１の足載せ部４との間に通し（図１参照）、本体ケース１の裏側で上下の辺が揃うように面ファスナ１３をカバーに付着させる。そして、図５のように、紐１２を引っ張って左右の辺（筒状部１１）を絞って結ぶことにより、交換カバー１０Ａがカバーの表面に装着される。なお、カバーには面ファスナは設けられていないが、カバーが起毛状であるため、交換カバー１０Ａの面ファスナ１３はカバーに容易に付着する。
【００１５】
この交換カバー１０Ａの装着状態では、本体ケース１のフランジ５ａ，５ｂの外側で紐１２により左右の辺（筒状部１１）が緊定されると共に、上下の辺が面ファスナ１３でカバーに固着される。従って、マッサージ体が回転駆動され、もみ輪の上側の間隔が大小に変化することで、交換カバー１０Ａをカバーから軸方向に剥がそうとする力が作用しても、交換カバー１０Ａは軸方向に位置ずれせず、交換カバー１０Ａの外れ、めくれは起こらない上に、騒音も発生しない。また、交換カバー１０Ａの軸方向に直交する方向への位置ずれも生じない。よって、カバーに対する交換カバー１０Ａの装着安定性が非常に良い。
【００１６】
交換カバー１０の別形態を図６〔裏側の平面図（ａ）、線Ａ−Ａにおける断面図（ｂ）〕に示す。この交換カバー１０Ｂは上記と同様に四角形状であり、軸方向に直交する一対の辺（左右の辺）の長さを伸縮可能とする装着位置規制手段として、左右の辺に沿って設けた筒状部１５に、当該筒状部１５よりも短い弾性部材１６を配置すると共に、その弾性部材１６の両端部１６ａを筒状部１５の両端部に固着してなる。
【００１７】
また、軸方向に直交する方向に対する装着位置規制手段は、前記と同様に軸方向に平行する一対の辺（上下の辺）付近に設けた、カバーの表面に着脱自在に付着される面ファスナ１７である。
【００１８】
図６の（ａ）では、交換カバー１０Ｂは変形した四角形を呈しているが、これは筒状部１５に固着した弾性部材１６により左右の辺が引っ張られるからであり、本来は四角形を呈する。
【００１９】
この交換カバー１０Ｂをカバーの表面に装着するには、図７〜図９を参照して、まず上下の一方の辺をカバーと本体ケース１の足載せ部４との間に通し、一方の面ファスナ１７を本体ケース１の前側の下端でカバーに付着させ（図７）、筒状部１５を本体ケース１のフランジ５ａ，５ｂの外側を覆うように位置させ（図８）、他方の面ファスナ１７を本体ケース１の後側の下端でカバーに付着させる（図９）。
【００２０】
この交換カバー１０Ｂの装着状態でも、本体ケース１のフランジ５ａ，５ｂの外側では弾性部材１６により左右の辺（筒状部１５）が緊縮されると共に、上下の辺が面ファスナ１７でカバーに固着される。このため、マッサージ体の回転駆動により、もみ輪の上側の間隔が大小に変化し、交換カバー１０Ｂをカバーから軸方向に剥がそうとする力が作用しても、交換カバー１０Ｂは軸方向に位置ずれせず、交換カバー１０Ｂの外れ、めくれは勿論のこと、騒音も発生しない。また、交換カバー１０Ｂの軸方向に直交する方向への位置ずれも生じない。
【００２１】
【発明の効果】
以上説明したように、本発明のマッサージ器によれば、交換カバーをカバーに装着すると、交換カバーの筒状部が本体ケースのフランジの両外側を覆うように位置することになるので、当該交換カバーの軸方向に対する装着位置が規制される。これにより、例えばマッサージ体が二対のもみ輪を有する場合、各対のもみ輪の上側間隔が狭くなるたびに、交換カバーをカバーから剥がそうとする力が作用しても、交換カバーの軸方向への位置ずれが防止される。従って、マッサージ体の回転動作に伴う交換カバーの外れ、めくれ、騒音が発生しなくなる。
【図面の簡単な説明】
【図１】一実施形態に係るマッサージ器の外観斜視図である。
【図２】同マッサージ器の平面図である。
【図３】同マッサージ器における本体ケースの上ケースの斜視図（ａ）、及び下ケースの斜視図（ｂ）である。
【図４】同マッサージ器における一形態の交換カバーの裏側の平面図である。
【図５】図４の交換カバーをカバーの表面に装着した状態でのマッサージ器の底面図である。
【図６】同マッサージ器における別形態の交換カバーの裏側の平面図（ａ）、及び（ａ）の線Ａ−Ａにおける断面図（ｂ）である。
【図７】図６の交換カバーをカバーの表面に装着するときの第１段階を示すマッサージ器の一部破断正面図である。
【図８】図６の交換カバーをカバーの表面に装着するときの第２段階を示すマッサージ器の斜視図である。
【図９】図６の交換カバーをカバーの表面に装着するときの第３段階を示すマッサージ器の背面図である。
【図１０】従来例に係るマッサージ器の外観斜視図である。
【図１１】図１０のマッサージ器における交換カバーの裏側の平面図である。
【図１２】図１０のマッサージ器におけるマッサージ体、カバー、交換カバーの動作中の状態を示す概略図である。
【符号の説明】
１                本体ケース
１ａ              上ケース
１ｂ              下ケース
５ａ，５ｂ        フランジ
１０（Ａ，Ｂ）    交換カバー
１１，１５        筒状部
１２              紐（軸方向に対する装着位置規制手段）
１３，１７        面ファスナ（軸方向に直交する方向に対する装着位置規制手段）
１６              弾性部材（軸方向に対する装着位置規制手段）
【図１】
0003567908.tif 000002
【図２】
0003567908.tif 000003
【図３】
0003567908.tif 000004
【図４】
0003567908.tif 000005
【図５】
0003567908.tif 000006
【図６】
0003567908.tif 000007
【図７】
0003567908.tif 000008
【図８】
0003567908.tif 000009
【図９】
0003567908.tif 000010
【図１０】
0003567908.tif 000011
【図１１】
0003567908.tif 000012
【図１２】
0003567908.tif 000013